(57)【要約】【課題】自動的に放送番組に関するウェブページの受信を可能にする。【解決手段】電子機器は、番組関連情報受信手段、ページデータ受信手段、格納手段及び出力手段を備える。番組関連情報受信手段は、放送によって提供される番組関連情報を受信する。ページデータ受信手段は、受信された前記番組関連情報を基に生成される電子番組表から選択された番組に対して、この番組の前記番組関連情報に含まれるテキストデータを用いて、検索制御部にウェブページを検索させ、この検索された前記ウェブページを受信する。格納手段は、前記ページデータ受信手段が受信した前記ウェブページのデータを記憶媒体に格納する。出力手段は、前記記憶媒体に格納された前記ウェブページのデータに基づき生成されたウェブページの映像を出力する。【選択図】図３
2011244491.tif 000002
【特許請求の範囲】
【請求項１】
放送によって提供される番組関連情報を受信する番組関連情報受信手段と、
受信された前記番組関連情報を基に生成される電子番組表から選択された番組に対して、この番組の前記番組関連情報に含まれるテキストデータを用いて、検索制御部にウェブページを検索させ、この検索された前記ウェブページを受信するページデータ受信手段と、
前記ページデータ受信手段が受信した前記ウェブページのデータを記憶媒体に格納する格納手段と、
前記記憶媒体に格納された前記ウェブページのデータに基づき生成されたウェブページの映像を出力する出力手段と
を具備する電子機器。
【請求項２】
操作入力に応じて前記所定の時間を設定する設定手段を更に具備し、
前記ページデータ受信手段は、前記設定手段により設定された前記所定の時間に前記検索制御部にウェブページを検索させる、
請求項１記載の電子機器。
【請求項３】
前記検索制御部は、前記テキストデータを用いて、検索サイトによりウェブページを検索する、
請求項１又は２記載の電子機器。
【請求項４】
前記ウェブページに関する情報に基づいて、前記映像を生成する映像生成手段を更に具備し、
前記格納手段は、前記映像生成手段が前記映像の生成に用いる構成データと、前記映像生成手段が前記映像を生成した場合の前記映像生成手段の実行状態についての情報とを前記記憶媒体に記憶する、
請求項１ないし３のいずれか１項に記載の電子機器。
【請求項５】
操作入力に応じて前記電子番組表の中から番組を選択する選択手段を更に備え、
前記ページデータ受信手段は、前記選択された番組に関する時間情報に応じた前記所定の時間に、前記テキストデータを用いて検索された前記ウェブページの前記データを受信する、
請求項１ないし４のいずれか１項に記載の電子機器。
【請求項６】
前記格納手段は、検索されたウェブページが画像イメージと動画データとを含む場合、前記画像イメージと前記動画データとを互いに応付けて前記記憶媒体に格納する、
請求項１ないし５のいずれか１項に記載の電子機器。
【請求項７】
前記番組関連情報受信手段は、放送波を受信するチューナを含む、
請求項１ないし６のいずれか１項に記載の電子機器。
【請求項８】
放送によって提供される番組関連情報を番組関連情報受信手段が受信するステップと、
受信された前記番組関連情報を基に生成される電子番組表から選択された番組に対して、この番組の前記番組関連情報に含まれるテキストデータを用いて、検索制御部にウェブページを検索させ、この検索された前記ウェブページをページデータ受信手段が受信するステップと、
前記ページデータ受信手段が受信した前記ウェブページのデータを格納手段が記憶媒体に格納するステップと、
前記記憶媒体に格納された前記ウェブページのデータに基づき生成されたウェブページの映像を出力手段が出力するステップと
を有するデータ受信方法。
【発明の詳細な説明】
【技術分野】
【０００１】
本発明は電子機器及びデータ受信方法に関するものであり、特にウェブページを受信する電子機器及びデータ受信方法に関する。
【背景技術】
【０００２】
近年の技術発達により、例えばＤＴＶ（Digital Television）等の放送波受信装置においては、放送波によって提供される放送番組の番組関連情報を取得可能なだけでなく、インターネットに接続可能な機能を備えた放送受信装置が提供されている。
【０００３】
その機能を使用すると、インターネット上の放送番組に関する情報が載せられたウェブページも参照できるようになり、視聴する／視聴した放送番組に関する情報を放送受信装置で閲覧可能になる。
【０００４】
そこで、放送局がＴＶ放送信号に多重化した閲覧先のホームページのＵＲＬ情報を抽出し、このＵＲＬ情報の示すホームページを表示する受信装置、放送受信システム、および放送システムが提案されている（特許文献１を参照）。
【先行技術文献】
【特許文献】
【０００５】
【特許文献１】特開２００３−２１９３７４号公報
【発明の概要】
【発明が解決しようとする課題】
【０００６】
放送番組は放送される時刻が決まっているが、インターネット上にその放送番組に関する情報がアップされる時刻も放送番組が放送される時刻に連動すると考えられる。また、番組の放送後にある程度時間が経ってしまうと削除される危険性もあり、タイミングよくウェブページにアクセスできなければユーザはこのアップされた見たい情報を閲覧することができなくなってしまう場合があった。
【０００７】
本発明は上記問題に鑑みてなされたものであって、自動的に放送番組に関するウェブページを受信する電子機器及びデータ受信方法を提供することを目的とする。
【課題を解決するための手段】
【０００８】
本発明にかかる電子機器は、放送によって提供される番組関連情報を受信する番組関連情報受信手段と、受信された前記番組関連情報を基に生成される電子番組表から選択された番組に対して、この番組の前記番組関連情報に含まれるテキストデータを用いて、検索制御部にウェブページを検索させ、この検索された前記ウェブページを受信するページデータ受信手段と、前記ページデータ受信手段が受信した前記ウェブページのデータを記憶媒体に格納する格納手段と、前記記憶媒体に格納された前記ウェブページのデータに基づき生成されたウェブページの映像を出力する出力手段とを具備する。
【０００９】
また、本発明にかかるデータ受信方法は、放送によって提供される番組関連情報を番組関連情報受信手段が受信するステップと、受信された前記番組関連情報を基に生成される電子番組表から選択された番組に対して、この番組の前記番組関連情報に含まれるテキストデータを用いて、検索制御部にウェブページを検索させ、この検索された前記ウェブページをページデータ受信手段が受信するステップと、前記ページデータ受信手段が受信した前記ウェブページのデータを格納手段が記憶媒体に格納するステップと、前記記憶媒体に格納された前記ウェブページのデータに基づき生成されたウェブページの映像を出力手段が出力するステップとを有する。
【発明の効果】
【００１０】
本発明によれば、自動的に放送番組に関するウェブページを受信する電子機器及びデータ受信方法を実現することができる。
【図面の簡単な説明】
【００１１】
【図１】本発明の一実施形態におけるＤＴＶ及びＤＴＶの使用環境の一例を示す概観図。
【図２】本発明の一実施形態におけるＤＴＶの内部構成の一例を示すブロック図。
【図３】本発明の一実施形態におけるＤＴＶの一部の機能に関する機能構成の一例を示すブロック図。
【図４】本発明の一実施形態におけるこのネット検索コンテンツの一例を示す概念図。
【図５】本発明の一実施形態におけるＥＰＧ画像が表示される表示部の一例を示す図。
【図６】本発明の一実施形態におけるネット検索予約画面が表示される表示部の一例を示す図。
【図７】本発明の一実施形態におけるコンテンツ選択画面が表示される表示部の一例を示す図。
【図８】本発明の一実施形態における検索されたウェブページが表示される表示部の一例を示す図。
【図９】本発明の一実施形態におけるウェブページの検索の予約に関する処理の一例を示すフロー図。
【図１０】本発明の一実施形態における選択された番組の検索処理の一例を示すフロー図。
【図１１】本発明の一実施形態における検索されたウェブページを表示する処理の一例を示すフロー図。
【発明を実施するための形態】
【００１２】
本発明の一実施形態を図面を参照しながら、以下に説明する。
【００１３】
図１は本実施形態におけるＤＴＶ１及びＤＴＶ１の使用環境の一例を示す概観図である。
【００１４】
ＤＴＶ１は本実施形態における電子機器の一例としてのデジタルテレビジョンであり、受信した放送波の放送信号から映像・音声情報を抽出し、表示部１２０及びスピーカ１１０よりこの映像・音声情報を出力する機能を有している。またＤＴＶ１は、接続された機器同士の信号のやり取りを可能とする通信規格であるＬＡＮ（Local Area Network）規格に準拠したＬＡＮケーブル２を介してルータ３と通信可能に接続されている。ルータ３は通信データの転送経路の設定を行うルーティング機能を有する通信機器であって、例えばInternetのような大規模ネットワーク網（WAN: Wide Area Network）であるインターネット４と接続されている。
【００１５】
また、ＤＴＶ１はこのルータ３を介してインターネット４上にアップされている所定のウェブページ（所定のサーバが格納するウェブページ）を取得することが可能である。本発明における電子機器の一例としてここではＤＴＶ１を示すが、これに限定されるものではない。電子機器の他の例示としては、ＳＴＢ（Set Top Box）、ＨＤＤレコーダ（Hard Disk Drive）レコーダおよびＤＶＤ（Digital Versatile Disc）レコーダのような各種レコーダ等の様々な機器が考えられる。
【００１６】
図２は本実施形態におけるＤＴＶ１の内部構成の一例を示すブロック図である。
【００１７】
ＤＴＶ１は、装置各部の動作を制御する制御部１５６を備えている。制御部１５６は、ＣＰＵ（Central Processing Unit）等を内蔵している。制御部１５６は、操作部１１６から入力される操作信号や、リモートコントローラ１１７から送信され受光部１１８を介して受信される操作信号に応じて、ＲＯＭ（Read Only Memory）１５７に予め記憶されたシステム制御プログラム及び各種処理プログラムを起動させる。制御部１５６は、起動したプログラムに従って、ＲＡＭ（Random Access Memory）１５８をワークメモリとして装置各部の動作を制御する。
【００１８】
入力端子１４４は、ＢＳ／ＣＳデジタル放送受信用のアンテナ１４３が受信した衛星デジタルテレビジョン放送信号を衛星デジタル放送用のチューナ１４５に供給する。チューナ１４５は、受信したデジタル放送信号のチューニングを行い、チューニングしたデジタル放送信号をＰＳＫ（Phase Shift Keying）復調器１４６に送信する。PSK復調器１４６は、ＴＳ（Transport Stream）の復調を行い、復調したＴＳをＴＳ復号器１４７ａに供給し、ＴＳ復号器１４７ａは、TSをデジタル映像信号、デジタル音声信号、およびデータ信号を含むデジタル信号に復号した後、信号処理部１００にこれを出力する。ここでのデジタル映像信号とはＤＴＶ１が出力可能な映像に関するデジタル信号であり、音声信号はＤＴＶ１が出力可能な音声に関するデジタル信号である。またデータ信号とは、例えばＤＴＶ１が電子番組表であるＥＰＧ（Electronic Program Guide）を生成するときに使用する情報である番組関連情報等を含む、放送波の放送番組に関する情報に関するデジタル信号である。この番組関連情報には、放送番組のタイトル、この番組の詳細情報、番組開始時刻、番組終了時刻等の情報が含まれている。
【００１９】
入力端子１４９は、地上波デジタル放送受信用のアンテナ１４８が受信した地上波デジタルテレビジョン放送信号を地上波デジタル放送用のチューナ１５０に供給する。チューナ１５０は、受信したデジタル放送信号のチューニングを行い、チューニングしたデジタル放送信号をそれぞれのＯＦＤＭ（Orthogonal Frequency Division Multiplexing）復調器１５１に送信する。ＯＦＤＭ復調器１５１は、ＴＳの復調を行い、復調したＴＳをそれぞれのＴＳ復号器１４７ｂに供給し、ＴＳ復号器１４７ｂは、ＴＳをデジタル映像信号及び音声信号等に復号した後、信号処理部１００にこれを出力する。チューナ１５０の１１個それぞれのチューナで取得した地上波デジタルテレビジョン放送は、これらの複数個のＯＦＤＭ復調器１５１、ＴＳ復号器１４７ｂによってそれぞれ同時にデジタル映像信号、音デジタル音声信号、及びデータ信号を含むデジタル信号として復号された後に、信号処理部１００に出力されることが可能である。
【００２０】
アンテナ１４８は、地上波アナログ放送信号も受信可能である。受信された地上波アナログ放送信号は、図示しない分配器によって分配されて、アナログチューナ１６８に供給される。アナログチューナ１６８は、受信したアナログ放送信号のチューニングを行い、チューニングしたアナログ放送信号をアナログ復調器１６９に送信する。アナログ復調器１６９はアナログ放送信号の復調を行い、復調したアナログ放送信号を信号処理部１００に出力する。また、ＤＴＶ１は、一例として、アンテナ１４８が接続される入力端子１４９にＣＡＴＶ（Common Antenna Television）用のチューナを接続することによってＣＡＴＶも視聴することができる。
【００２１】
信号処理部１００は、ＴＳ復号器１４７ａ、１４７ｂ、または制御部１５６から出力されたデジタル信号に、適切な信号処理を施す。より具体的には、信号処理部１００はデジタル信号を映像信号、デジタル音声信号、およびデータ信号に分離する。分離された映像信号はグラフィック処理部１５２に、音声信号は音声処理部１５３に出力される。また信号処理部１００は、アナログ復調器１６９から出力された放送信号を、所定のデジタルフォーマットの映像信号及び音声信号に変換する。デジタルに変換された映像信号はグラフィック処理部１５２に、音声信号は音声処理部１５３に出力される。また信号処理部１００は、ライン入力端子１３７からの入力信号にも所定のデジタル信号処理を施す。さらに信号処理部１００がデータ信号を制御部１５６に送信することによって、制御部１５６は受信するこのデータ信号から得られる番組関連情報をＨＤＤ１７０に格納することで、後のＥＰＧ生成にこの番組関連情報を使用することができる。
【００２２】
ＯＳＤ（On Screen Display）信号生成部１５４は、制御部１５６の制御に従って、ＵＩ（ユーザ・インタフェース）画面などを表示するためのＯＳＤ信号を生成する。また信号処理部１００においてデジタル放送信号から分離されたデータ信号は、ＯＳＤ信号生成部１５４により適切なフォーマットのＯＳＤ信号に変換され、グラフィック処理部１５２に出力される。
【００２３】
グラフィック処理部１５２は、信号処理部１００から出力されるデジタルの映像信号のデコード処理を行う。デコードされた映像信号は、ＯＳＤ信号生成部１５４から出力されたＯＳＤ信号と重ね合わせて合成され、映像処理部１５５に出力される。グラフィック処理部１５２は、デコードされた映像信号またはＯＳＤ信号を、映像処理部１５５に選択的に出力することもできる。
【００２４】
映像処理部１５５は、グラフィック処理部１５２から出力された信号を、表示部１２０で表示可能なフォーマットのアナログ映像信号に変換する。アナログに変換された映像信号は、表示部１２０に表示される。
【００２５】
音声処理部１５３は、入力された音声信号を、スピーカ１１０で再生可能なフォーマットのアナログ音声信号に変換する。アナログに変換された音声信号は、スピーカ１１０に出力されて再生される。
【００２６】
カードホルダ１６１は、カードＩ／Ｆ（Interface）１６０を介して制御部１５６に接続されている。メモリカード１１９は、このカードＩ／Ｆ１６０に装着可能である。メモリカード１１９は、例えばＳＤ（Secure Digital）メモリカード、ＭＭＣ（Multimedia Card）及びＣＦ（Compact Flash）カード等の記憶媒体である。カードホルダ１６１に装着されたメモリカード１１９、及び制御部１５６は、カードＩ／Ｆ１６０を介して情報の書込み／読み出しを行うことができる。  ＬＡＮ端子１３１は、ＬＡＮＩ／Ｆ１６４を介して制御部１５６に接続されている。ＬＡＮ端子１３１は、イーサネット（登録商標）を用いた一般的なＬＡＮ対応ポートとして使用される。本実施形態においてＬＡＮ端子１３１にはＬＡＮケーブル２が接続されており、ルータ３と通信可能となっている。
【００２７】
ＵＳＢ（Universal Serial Bus）端子１３３は、ＵＳＢ Ｉ／Ｆ１６６を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部１５６は、ＵＳＢ端子１３３を介して接続される機器との間で、情報の通信（送受信）を行うことができる。
【００２８】
ＨＤＤ１７０はＤＴＶ１に内蔵される磁気記憶媒体であってＤＴＶ１が有する各種情報を記憶する機能を有している。制御部１５６は信号処理部１００から受信するデータ信号より得られる番組関連情報をＨＤＤ１７０に格納する。この番組関連情報は放送局が提供する放送番組に関する情報であって、ＤＴＶ１がＥＰＧを生成するときに使用する情報である。制御部１５６のＥＰＧ制御部１５９はこの番組関連情報を用いてＥＰＧを生成することができる。またＨＤＤ１７０はＤＴＶ１で表示可能な動画データである動画コンテンツを格納しており、制御部１５６はこの動画コンテンツを再生することが可能である。
【００２９】
本実施形態においてＤＴＶ１が行う処理に関する機能の機能構成について図３を用いて下記にて説明を行う。
【００３０】
図３は本実施形態におけるＤＴＶ１の一部の機能に関する機能構成の一例を示すブロック図である。
【００３１】
本実施形態におけるＤＴＶ１は放送番組に関する情報が掲載されたウェブページをインターネット４の検索用ウェブページである検索サイトを用いてユーザ所望の時刻に検索し、ヒットしたウェブページの情報をＨＤＤ１７０にネット検索コンテンツとして格納する。ＤＴＶ１はこの検索時にはたとえば番組関連情報３７としてＨＤＤ１７０に格納されている情報の内、番組のタイトル情報のテキストデータをキーワードにして検索用サイトにて検索する。またＨＤＤ１７０にネット検索コンテンツとして格納しておいたウェブページを表示部１２０に表示することが可能である。これらの処理の一部を実行するための機能に関するモジュールとして図３には検索制御部３１、ブラウザ３２、プラグイン３３、バッファ３４、コンテンツ制御部３５、およびコンテンツ再生部３６が示されている。
【００３２】
検索制御部３１は放送番組に関連するウェブページを検索する機能を有している。検索制御部３１はブラウザ３２を起動して、ブラウザ３２が取得する検索サイトで番組タイトルをキーワードとして検索を行い、検索されたウェブページをブラウザ３２に展開させる。このときのキーワードとして用いる番組タイトルの情報は番組関連情報３７から抽出して取得する。また、検索制御部３１はこのとき検索を行った番組タイトルの情報をコンテンツ制御部３５に送信する機能を有している。
【００３３】
ブラウザ３２はインターネット４にアクセスしてインターネット４上のウェブページを取得して、表示部１２０にこのウェブページを表示するための信号を生成する機能を有している。また、ブラウザ３２のみでは表示不可能であって、プラグイン３３では再生可能な動画等が存在するとき、プラグイン３３を起動しこの動画を再生させる機能を有している。また、ブラウザ３２はウェブページの表示画像を生成するとき、このウェブページの画像イメージ、このウェブページの画像生成に必要な構成ファイル、およびウェブページの表示画像を生成するときの自身の動作イメージである実行状態（復帰に必要なプロセスのリソースも含む）をバッファ３４に記憶させる。
【００３４】
プラグイン３３はブラウザ３２からの指示に従って、自身が再生可能な動画のデータをウェブページより取得し、この動画データを用いて動画を再生する機能を有している。またプラグイン３３は取得した動画データをバッファ３４に記憶させる。
【００３５】
バッファ３４はブラウザ３２がウェブページの表示画像を生成する際の画像イメージ、構成ファイル、実行状態、およびプラグイン３３が取得した動画データを記憶する機能を有している。以下ではブラウザ３２がウェブページの表示画像を生成する際の画像イメージ、構成ファイル、および実行状態を合わせてウェブページ表示関連情報と呼ぶ。
【００３６】
コンテンツ制御部３５はバッファ３４に記憶されたブラウザ３２のウェブページ表示関連情報、および動画データと、検索制御部３１から受信するこのウェブページを検索するためのキーワードとして用いられた番組タイトルとを対応付けて、ネット検索コンテンツとしてＨＤＤ１７０に格納する機能を有している。本実施形態におけるこのネット検索コンテンツの一例を示す概念図を図４に示している。
【００３７】
コンテンツ再生部３６はＨＤＤ１７０に格納されたネット検索コンテンツのウェブページを展開するための機能を有している。コンテンツ再生部３６は再生するネット検索コンテンツをユーザが選択するための選択画面であるコンテンツ選択画面を生成し、選択画面におけるユーザからの入力に基づいて、ネット検索コンテンツ３８として関連する情報が格納されているウェブページをブラウザ３２に表示させる。このときコンテンツ再生部３６はブラウザ３２にネット検索コンテンツ内のウェブページ表示関連情報および動画データを送信する。ブラウザ３２は受信するこれらのデータに基づいてウェブページを展開し、画像及び音声に関する信号を映像処理部１５５及び音声処理部１５３に送信することで、ウェブページの画像及び音声を出力する。
【００３８】
また上述のようにＨＤＤ１７０には動画コンテンツが格納されており、コンテンツ再生部３６はこの動画コンテンツを再生する機能を有している。コンテンツ再生部３６は上述のコンテンツ選択画面にて、ネット検索コンテンツと同様に動画コンテンツも選択可能に表示させ、ユーザにより選択された動画コンテンツを再生することが可能である。ここでのコンテンツ選択画面については後述する。
【００３９】
ＥＰＧ制御部１５９はＨＤＤ１７０内に格納された番組関連情報を用いてＥＰＧ画像を作成する機能を有している。ＥＰＧ制御部１５９が生成した画像信号をＯＳＤ信号生成部１５４に送信し、ＤＴＶ１は表示部１２０にＥＰＧを表示することができる。
【００４０】
ここでＥＰＧ制御部１５９が生成し、表示部１２０に表示されるＥＰＧ画像について図５を用いて次に説明する。
【００４１】
図５は本実施形態におけるＥＰＧ画像が表示される表示部１２０の一例を示す図である。図５には表示部１２０、ＥＰＧ５１、放送時刻表示欄５２、局情報表示欄５３、番組欄５４、および選択カーソル５５が示されている。
【００４２】
ＥＰＧ５１は電子番組表であり、表示画面１２１の横方向に放送局の各局が並べられて表示されており、縦軸には上から下へと時間経過に沿った、それぞれの時間帯に放送されている番組が並んで表示されている。
【００４３】
放送時刻表示欄５２は番組の放送時間を示している。
【００４４】
局情報表示欄５３は各放送局の情報を表示する表示欄である。
【００４５】
番組欄５４には上方向に存在する局情報表示欄５３に示されている放送局が、横方向に示されている時間に放送している番組の情報が記述されている欄である。ここに示されている情報は放送波より取得したデータ信号に載っていた情報が示されている。本実施形態においてデータ信号のような放送番組に関する情報は放送波より取得するものとして例示するが、これには限定されず、例えばＬＡＮ  Ｉ／Ｆ等を介してインターネット４等から取得されるものとしてもよい。
【００４６】
選択カーソル５５は番組または放送局等の選択を行うためのカーソルである。ユーザはこの選択カーソル５５を操作することにより、ＥＰＧ５１に表示される番組を選択でき、選択番組等の視聴、録画、又は音声出力等の様々な操作入力を行うことが可能となる。またユーザは選択カーソル５５を用いて、上述のウェブページの検索を行う番組の選択を行うことができる。選択カーソル５５によって番組が選択されると、ＥＰＧ制御部１５９は選択された番組を検索する検索サイト、及び検索する時間を選択するための選択画面であるネット検索予約画面を表示し、ユーザに更に検索を行う検索サイトおよび検索時間を選択させる。このネット検索予約画面について、図６を用いて次に説明する。
【００４７】
図６は本実施形態におけるネット検索予約画面が表示される表示部１２０の一例を示す図である。図６には図５で示したＥＰＧ５１の上にネット検索予約画面６１が表示されている。
【００４８】
ネット検索予約画面６１には番組タイトル、検索時刻、検索サイト、及び予約を行うか否かを選択するための情報が表示されている。ユーザは検索時刻ボックス６２および検索サイトボックス６３で検索時間と検索を行うサイトを選択することができ、この選択結果に基づいて、検索制御部３１は検索時刻ボックス６２で指定された時間に検索サイトボックス６３で指定された検索サイトで、番組タイトルをキーワードとしての検索を行う。つまりＥＰＧ制御部１５９は検索時刻に関する情報をユーザに通知する通知出力手段としての機能を有している。またネット検索予約画面６１は検索時刻をユーザに設定させる設定手段としての機能を有している。
【００４９】
ネット検索予約画面６１は検索を行う時刻をユーザに通知する通知時間としての機能
本実施形態においては、ＤＴＶ１は選択された検索サイトによって放送番組に関連するウェブページの検索を行う。ＤＴＶ１は放送番組の選択をＥＰＧ５１を表示しながらユーザに行わせるため、ユーザは多くの情報を眼にしながら、番組を選択することができユーザにとってわかりやすい。また、対象の番組の放送時間をユーザは容易に確認することができる。
【００５０】
本実施形態においてはユーザは検索時刻を任意の時刻で選択することが可能であるが、ここで検索時刻ボックス６２には番組関連情報から取得できる時刻をデフォルトで表示するとしてもよい。例えば番組の放送開始時刻、放送終了時刻等が考えられる。また、「番組放送終了時刻からＮ時間後」等のような形式で検索時刻ボックス６２に時刻を選択可能に表示するとしてもよい。これにより放送番組に関連した時間に検索を行うことができる。
【００５１】
ＤＴＶ１は検索し、取得したウェブページに関する情報をネット検索コンテンツとしてＨＤＤ１７０に格納し、このネット検索コンテンツを後に表示することができる。このとき、コンテンツ再生部３６は表示するネット検索コンテンツを選択するための画面であるコンテンツ選択画面を生成する。次にこのコンテンツ選択画面の一例を示す。
【００５２】
図７は本実施形態におけるコンテンツ選択画面７１が表示される表示部１２０の一例を示す図である。図７には表示部１２０、コンテンツ選択画面７１、コンテンツ選択リスト７２、コンテンツ情報７３、コンテンツ表示画面７４、およびカーソル７５が示されている。
【００５３】
表示部１２０に表示されるコンテンツ選択画面７１上にはコンテンツ選択リスト７２、コンテンツ７３、コンテンツ表示画面７４、およびカーソル７５が示されている。コンテンツ選択画面７１に表示されている情報としてこれらは例示であり、情報の内容及び表示形式はこれに限定されるものではない。
【００５４】
コンテンツ選択リスト７２にはＨＤＤ１７０に格納されるネット検索コンテンツ及び動画コンテンツのタイトルが表示されており、ユーザはカーソル７５を上下に動かすことでこれらのコンテンツのうち一つを選択することが可能である。ここではコンテンツ選択リスト７２にはＨＤＤ１７０に格納されたネット検索コンテンツおよび動画コンテンツのタイトルが同じ表示形式で並んで表示されている。
【００５５】
コンテンツ情報７３にはコンテンツ選択リスト７２でカーソル７５によって選択されているネット検索コンテンツ／動画コンテンツに関連する情報が表示されており、コンテンツ表示画面７４にはカーソル７５によって選択されているネット検索コンテンツ／動画コンテンツの表示画面が表示されている。このコンテンツ表示画面７４の表示は動画を含んでいてもよいし、静止画であってもよい。
【００５６】
本実施形態ではコンテンツ選択リスト７２のようにＨＤＤ１７０に格納されている動画コンテンツとネット検索コンテンツを同様の形式で表示してユーザに選択させるため、ユーザは動画コンテンツを視聴する場合と同じような感覚でネット検索コンテンツを視聴することが可能となり、動画コンテンツとネット検索コンテンツとが同じ種類のコンテンツであるかのような感覚で視聴することができる。
【００５７】
このコンテンツ選択リスト７２によって選択されたコンテンツが表示部１２０に表示される。これによりネット検索コンテンツ選択されると、ユーザは選択されたネット検索コンテンツのウェブページを視聴することができる。次にこのウェブページが表示されたときの表示画面について説明する。
【００５８】
図８は本実施形態における検索されたウェブページが表示される表示部１２０の一例を示す図である。
【００５９】
コンテンツ制御部３５はユーザ指定の時間に、ユーザ指定の検索サイトによって検索されたウェブページ８１に関するブラウザ３２のウェブページ表示関連情報を、プラグイン３３によって再生される動画データ及び番組タイトルと共にネット検索コンテンツとしてＨＤＤ１７０に格納する。ユーザがこのネット検索コンテンツの視聴指示をＤＴＶ１に行うとき、検索制御部３１はこのネット検索コンテンツをＨＤＤ１７０より読み出し、ブラウザ３２およびプラグイン３３によってこれを表示、再生する。図８に、このとき表示部１２０に表示されるウェブページ８１を示す。
【００６０】
表示部１２０には検索制御部３１によって検索された放送番組に関するウェブページ８１が表示されている。ウェブページ８１はプラグイン３３によって再生可能な動画である動画８２をページに含んでおり、この動画８２以外の領域はブラウザ３２によって展開、描画され、動画８２はプラグイン３３によって展開、再生されている。
【００６１】
次に本実施形態においてＤＴＶ１が行う処理を図９乃至図１０を用いて説明する。
【００６２】
図９は本実施形態におけるウェブページの検索の予約に関する処理の一例を示すフロー図である。
【００６３】
まず、ＤＴＶ１のＥＰＧ制御部１５９がＥＰＧ画面５１を表示する（ステップＳ９１）。次に、選択カーソル５５によってユーザが検索用ページにて関連するウェブページを選択すると（ステップＳ９２、Ｙｅｓ）、ＥＰＧ制御部１５９はネット検索予約画面６１を表示する（ステップＳ９３）。
【００６４】
ステップＳ９２においてユーザが選択を行わないとき（ステップＳ９２、Ｎｏ）、処理フローは再びステップＳ９２に戻る。ステップＳ９３においてＥＰＧ制御部１５９がネット検索予約画面６１を表示した後、ＤＴＶ１は例えばリモートコントローラ１１７等を用いてのユーザからの検索時刻および検索サイトの選択を待機する（ステップＳ９４）。
【００６５】
ステップＳ９４において選択が入力されない間（ステップＳ９４、Ｎｏ）、ＤＴＶ１は待機を続け、選択が入力されると検索制御部３１が選択された番組の番組タイトルを抽出し、選択された検索時刻、検索サイトと共に、自身の有するキャッシュ（図示しない）に格納する。ここではこれらの情報をＨＤＤ１７０に格納していたとしてもよい。
【００６６】
これによりウェブページの検索の予約に関する一連の処理フローは終了となる。
【００６７】
図１０は本実施形態における選択された番組の検索処理の一例を示すフロー図である。
【００６８】
検索制御部３１は図示しない時計を有しており、現在時刻を検出することができる。検索制御部３１は現在時刻と自身のキャッシュに格納した検索時刻とを比較し、検索時刻となったか否かの判別を行う（ステップＳ１００１）。
【００６９】
ステップＳ１００１において検索時間となるまでは（ステップＳ１００１、Ｎｏ）、検索制御部３１は待機する。ステップＳ１００１において検索時間となると、検索制御部３１は、ブラウザ３２にネット検索予約画面６１の検索サイトボックス６３でユーザによって選択された検索用サイトにアクセスさせる（ステップＳ１００２）。
【００７０】
検索制御部３１は検索用サイトを用いて、番組タイトルをキーワードに該番組に関連するウェブページを検索し、検索結果を取得する（ステップＳ１００３）。
【００７１】
検索結果を取得すると、検索制御部３１は検索結果に示されるウェブページの内、先頭のウェブページのデータをインターネット４より取得する（ステップＳ１００４）。
【００７２】
ブラウザ３２は取得したウェブページのデータに基づいて該ウェブページの画像イメージを生成する（ステップＳ１００５）。ここでブラウザ３２は生成した画像イメージをバッファ３４に格納する。また、ブラウザ３２はウェブページを展開した時の構成ファイル、及び自身の実行状態をバッファ３４に格納する。
【００７３】
取得したウェブページがプラグイン３３によって再生可能な動画を含んでいる場合は（ステップＳ１００６、Ｙｅｓ）、ブラウザ３２はプラグイン３３を起動し、プラグイン３３が動画データをインターネット４より取得し（ステップＳ１００７）、順次バッファ３４へと格納していく。動画データを全て取得するまではプラグイン３３は取得を続行する（１００８、Ｎｏ）。
【００７４】
動画データを全て取得完了したとき（ステップＳ１００８、Ｙｅｓ）、コンテンツ制御部３５はバッファ３４に格納されているウェブページの画面イメージ、構成ファイル、ブラウザ３２の実行状態、及び動画データを、該ウェブページを検索するときに使用した番組タイトルと共にネット検索コンテンツとしてＨＤＤ１７０に格納する（ステップＳ１００９）。
【００７５】
またステップＳ１００６において動画データが存在しない場合には（ステップＳ１００６、Ｎｏ）、動画データを含まないネット検索コンテンツ（番組タイトルおよびウェブページ表示関連情報）をＨＤＤに格納する（ステップＳ１００９）。
【００７６】
検索制御部３１はステップＳ１００９で格納されたネット検索コンテンツが検索結果としてあがってきたウェブページの最後のページに関するものでないとき（ステップＳ１０１０、Ｎｏ）、次の検索結果のウェブページのデータをインターネット４より取得する（ステップＳ１０１１）。ステップＳ１０１１における処理が完了すると処理フローはステップＳ１００６へと戻る。
【００７７】
また、ステップＳ１０１０においてステップＳ１００９で格納したコンテンツが検索されたウェブページの内の最後のページに関するものであるとき（ステップＳ１０１０、Ｙｅｓ）、ＤＴＶ１はウェブページの検索の予約に関する一連の処理フローを終了する。
【００７８】
本処理フローでは検索されたウェブページが複数存在する場合にはその全てを取得するものとして例示しているが、これに限定されず、例えば先頭に挙がっているウェブページのみを取得し、他のページは取得しないとしてもよい。このとき、放送番組に関する検索結果のウェブページを取得しつつ、ＨＤＤ１７０に格納するデータを少なくすることができる。
【００７９】
図１１は本実施形態におけるネット検索コンテンツの表示処理の一例を示すフロー図である。
【００８０】
ユーザからコンテンツの表示指示を受けると、コンテンツ再生部３６はＨＤＤ１７０より動画コンテンツ及びネット検索コンテンツを読み出し、これらを用いてコンテンツ選択画面７１を生成し、表示する（ステップＳ１１１）。
【００８１】
次にコンテンツ再生部３６は、コンテンツ選択リスト７２を用いてのユーザのコンテンツの選択を待機する（ステップＳ１１２）。ステップＳ１１２で選択されていない間は（ステップＳ１１２、Ｎｏ）、ステップＳ１１２を繰り返す。
【００８２】
ユーザよりコンテンツの選択がされると（ステップＳ１１２、Ｙｅｓ）、コンテンツ再生部３６は選択されたコンテンツがネット検索コンテンツであるか否かの判別を行う（ステップＳ１１３）。
【００８３】
ステップＳ１１３においてユーザが選択したコンテンツがネット検索コンテンツである場合は（ステップＳ１１３、Ｙｅｓ）、ＨＤＤ１７０よりデータを読み出し（ステップＳ１１４）、ブラウザ３２およびプラグイン３３によってウェブページの表示を行う（ステップＳ１１５）。このとき、表示を行うウェブページに関するデータ（動画データ含む）はネット検索コンテンツとしてＨＤＤ１７０に格納されているため、ブラウザ３２およびプラグイン３３はこれらの情報を再度インターネット４より取得する必要が無い。また画面イメージ、構成ファイル、及び実行状態もウェブページ表示関連情報としてＨＤＤ１７０に格納しているため、これらを利用することでウェブページの展開にかかる時間を短縮することができ、ブラウザ３２は高速にウェブページを表示することが可能となる。
【００８４】
ステップＳ１１３においてユーザが選択したコンテンツがネット検索コンテンツでない場合は（ステップＳ１１３、Ｎｏ）、このコンテンツは動画コンテンツであるので、コンテンツ再生部３６はこの動画コンテンツを再生する（ステップＳ１１６）。
【００８５】
ステップＳ１１５、ステップＳ１１６が終了すると、以上で一連の処理は終了となる。
【００８６】
本実施形態において、検索サイトで検索するためのキーワードとして放送番組のタイトルを例示して説明を行ったがこれに限定されず、番組関連情報の中のジャンルや放送内容等の番組に関する他のテキストデータをキーワードとして番組に関連するウェブページを検索するようにしてもよい。
【００８７】
また、本実施形態ではＨＤＤ１７０に格納していたネット検索コンテンツをＤＴＶ１で表示する場合を例示したが、これに限らず、このネット検索コンテンツをメモリカードに出力したり、ブラウザを有する他の電子機器に出力するとしてもよい。これにより、ユーザはネット検索コンテンツを他の電子機器で閲覧することが可能であり、例えば持ち運び可能なモバイル機器等に出力したとすると、屋外等においてもユーザの好適な状況で閲覧することができる。
【００８８】
本実施形態にかかるＤＴＶ１では、あらかじめ設定した時刻に自動的にユーザが選択した放送番組に関するウェブページを取得することができる。
【００８９】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００９０】
１…ＤＴＶ、２…ＬＡＮケーブル、３…ルータ、４…インターネット、１１０…スピーカ、１２０…表示部、１００…信号処理部、１１６…操作部、１１７…リモートコントローラ、１１８…受光部、１１９…メモリカード、１３１…ＬＡＮ端子、１３３…ＵＳＢ端子、１３７…ライン入力端子、１４３…アンテナ、１４４…入力端子、１４５…チューナ、１４６…ＰＳＫ復調器、１４７…ＴＳ復号器、１４８…アンテナ、１４９…入力端子、１５０…チューナ、１５１…ＯＦＤＭ復調器、１５２…グラフィック処理部、１５３…音声処理部、１５４…ＯＳＤ信号生成部、１５５…映像処理部、１５６…制御部、１５７…ＲＯＭ、１５８…ＲＡＭ、１５９…ＥＰＧ制御部、１６０…カードＩ／Ｆ、１６１…カードホルダ、１６４…ＬＡＮ Ｉ／Ｆ、１６６…ＵＳＢ Ｉ／Ｆ、１６８…アナログチューナ、１６９…アナログ復調器、１７０…ＨＤＤ、３１…検索制御部、３２…ブラウザ、３３…プラグイン、３４…バッファ、３５…コンテンツ制御部、３６…コンテンツ再生部、５１…ＥＰＧ、５２…放送時刻表示欄、５３…局情報表示欄、５４…番組欄、５５…選択カーソル、６１…ネット検索予約画面、６２…検索時刻ボックス、６３…検索サイトボックス、７１…コンテンツ選択画面、７２…コンテンツ選択リスト、７３…コンテンツ情報、７４…コンテンツ表示画面、７５…カーソル、８１…ウェブページ、８２…動画。
【図１】
2011244491.tif 000003
【図２】
2011244491.tif 000004
【図３】
2011244491.tif 000005
【図４】
2011244491.tif 000006
【図５】
2011244491.tif 000007
【図６】
2011244491.tif 000008
【図７】
2011244491.tif 000009
【図８】
2011244491.tif 000010
【図９】
2011244491.tif 000011
【図１０】
2011244491.tif 000012
【図１１】
2011244491.tif 000013